【事件の表示】
　特願２００６−１０２７７６号「供給部品の確認装置」拒絶査定不服審判事件〔平成１９年１０月２５日出願公開、特開２００７−２８０６６３号〕について、次のとおり審決する。
【結　論】
　本件審判の請求は、成り立たない。
【理　由】
第１　手続の経緯
　本件に係る出願（以下「本願」という。）は、平成１８年４月４日の出願であって、平成２３年４月５日付けで拒絶査定がなされ（発送日：同年４月１２日）、これに対し、同年６月２８日に拒絶査定不服審判の請求がなされ、その審判の請求と同時に手続補正がなされたものである。
　
第２　平成２３年６月２８日付け手続補正についての補正却下の決定
［補正却下の決定の結論］
　平成２３年６月２８日付け手続補正（以下「本件補正」という。）を却下する。
　
［理由］
１　本件補正発明
　本件補正は、特許請求の範囲の請求項１について、本件補正前に「一端に垂直面を有する複数種のコネクタハウジングを種類別に挿入する複数種の受け台であって、コネクタハウジングの該垂直面を突き当てる垂直な内端面を奥端側に有する凹部と、該凹部に続く貫通した孔部とを有して、各種類のコネクタハウジングに応じた異なる複数種の受け台と、該複数種の受け台のなかからコネクタハウジングの種類に応じて選択された一つの受け台の該孔部に向けて幅広なレーザ光を照射する発光器と、該受け台の該孔部を通過した幅狭なレーザ光を受ける受光器とを備え、該受け台は該発光器と該受光器との間に配置され、コネクタハウジングの種類に応じて各受け台の前記凹部の前記内端面の位置が異なり、各受け台の各孔部は、同一の大きさで、各受け台の各凹部の該内端面に沿って設けられ、前記幅広なレーザ光の幅の範囲内に位置することを特徴とする供給部品の確認装置。」とあったものを「一端に垂直面を有する複数種のコネクタハウジングを種類別に挿入する複数種の受け台であって、コネクタハウジングの該垂直面を突き当てる垂直な内端面を
コネクタハウジング挿入方向の
該内端面と同一平面上の内面を有して設けられ、且つ各孔部は、共通の
し、該レーザ光の幅方向は前記コネクタハウジング挿入方向に一致し、各孔部の軸線方向は該レーザ光の幅方向に直交して位置し、コネクタハウジングの前記垂直面が該凹部の該内端面に突き当てられた完全挿入状態で、該レーザ光の幅方向の一部が該孔部を通って該コネクタハウジングに遮光され、該コネクタハウジングの該垂直面が該凹部の該内端面に突き当てられない不完全挿入状態で、該レーザ光の幅方向の一部が該孔部を透過する
　上記補正について検討する。
　本件補正後の特許請求の範囲の請求項１に記載された発明は、コネクタハウジングの垂直面を突き当てる垂直な内端面の位置について、「奥端側」とあったものを「
コネクタハウジング挿入方向の
該内端面と同一平面上の内面を有して設けられ、且つ各孔部は、共通の
し、該レーザ光の幅方向は前記コネクタハウジング挿入方向に一致し、各孔部の軸線方向は該レーザ光の幅方向に直交して位置
コネクタハウジングの前記垂直面が該凹部の該内端面に突き当てられた完全挿入状態で、該レーザ光の幅方向の一部が該孔部を通って該コネクタハウジングに遮光され、該コネクタハウジングの該垂直面が該凹部の該内端面に突き当てられない不完全挿入状態で、該レーザ光の幅方向の一部が該孔部を透過する
　そこで、本件補正後の特許請求の範囲の請求項１に記載された発明（以下「本件補正発明」という。）が特許出願の際独立して特許を受けることができるものであるか（改正前特許法第１７条の２第５項において準用する同法第１２６条第５項の規定に適合するか）否かについて検討する。
　
２　刊行物に記載された発明
（１）原査定の拒絶理由において提示された、本願の出願前に頒布された刊行物である特開平８−１２４６４７号公報（以下「刊行物１」という。）には、図面と共に次の事項が記載されている。 
　ア　「【請求項１】ハウジングを送るフィーダシュートの終端に配置され、アクチュエータで９０度反転可能なロータと、該ロータ内のハウジングを把持してコネクタ受け具へ移動させる昇降及び進退可能なチャックと、該コネクタ受け具の前方に配置され、一対のガイド片の間にハウジングを挿入させるハウジングガイドと、該コネクタ受け具とハウジングガイドとを垂直位置から水平位置に９０度回動させる駆動手段と、該コネクタ受け具からハウジングを押し出す払い出しシリンダとを含むことを特徴とするハウジング供給装置。
【請求項２】前記ロータ内のハウジングに対して配置された反射式センサと、垂直に起立したコネクタ受け具の収容室底部に光を透過させる透過式センサとを備えることを特徴とする請求項１記載のハウジング供給装置。」（【特許請求の範囲】）
　イ　「【産業上の利用分野】本発明は、コネクタハウジングをフィーダからチャックでコネクタ受け具に供給して自動端子挿入を行わせるハウジング供給装置に関するものである。」（段落【0001】）
　ウ　「【発明が解決しようとする課題】本発明は、上記した点に鑑み、ハウジングをコネクタ受け具に自動的に供給して効率良く且つ確実にサブワイヤハーネスを組み立てることのできるハウジング供給装置及び機構を提供することを目的とする。」（段落【0003】）
　エ　「【実施例】図１は本発明に係るハウジング供給装置の一実施例を示すものである。この装置１は、合成樹脂製のコネクタハウジング２（以下ハウジングと言う）を溜めるストックレール３に連続する振動式のフィーダシュート４と、該フィーダシュート４の終端に位置してアクチュエータ（回動シリンダ）５で９０°反転可能なロータ６と、該ロータ６及びアクチュエータ５を支持する支柱１６と、該ロータ６内のハウジング２を把持して前方に移動させるエアチャック７と、該エアチャック７からハウジング２を受けるコネクタ受け具８と、該コネクタ受け具８を固定する台座９と、該コネクタ受け具８の前方に位置してハウジングガイド１０を固定する台板１１と、該台座９と台板１１を一体的に起立方向に９０°回動させる駆動手段１２とにより概ね構成される。」（段落【0007】）
　オ　「該コネクタ受け具８は図４の如く起立した状態でハウジング２を受け取る。すなわち図１に示す駆動手段１２により水平回動軸３４を中心として基台９と基板１１が垂直方向に一体に回動してコネクタ受け具８を起立させる。コネクタ受け具８は図１の如く回動軸３４に連結され、該回動軸３４は軸受板１２５に支持されてプーリ１２２へ連結し、該軸受板１２５は図１４，１５で詳述する可動基板９５に固定されている。該駆動手段１２はアクチュエータ１２０の回転軸に連結したプーリ１２１と、前記回動軸３４に連結したプーリ１２２と、両プーリ１２１，１２２を繋ぐベルト１２３で構成される。そして図４の如く起立した
コネクタ受け具８の収容室３５
　該コネクタ受け具８にはハウジング２のロック突起３６に対する係止アーム３７が設けられている。該係止アーム３７は軸３８を支点に回動し、先端の係止爪３９とは反対の基端方がばね４０でロック方向に付勢されている。コネクタ受け具８の起立状態において係止アーム３７の基端は外側のストッパ４１に当接し、ばね４０に抗して係止爪３９を解除方向に離間させる。
　起立した
コネクタ受け具８の両側には
一対の透過式光電センサ４２が配置され
コネクタ受け具８の両側部には一対の透孔４３が設けられ、該透孔４３から進入した光４４により
ハウジング２と
収容室底面４５との隙間Ｓの有無を検知する
　該透過式センサ４２は図５の如く垂直な板状ブラケット４６に固定される。あるいは図６の如く上下に移動可能な逆Ｌ字型のブラケット４７の水平板部４８に固定してもよい。該ブラケット４７の背面には水平突出部４９が設けられ、該突出部４９と垂直フレーム基板５０からの突出部５１との間に螺挿された高さ調整ねじ５２によりセンサ４２を昇降可能である。それにより
ハウジング２の種類
に応じて段取換えしたコネクタ受け具８
全長の異なるハウジング２の前端面の位置
　このセンサ昇降手段（５２）に代えて図７に示す如く図３の反射式センサ１７と同様にワイヤケーブル５４を用いて遠隔操作可能なものであってもよい。この場合、透過式センサ４２はブラケット５５を介してスライダ５６に固定され、スライダ５６は垂直方向の雄ねじ５７に螺合して支持ブラケット５８に沿って上下移動可能である。雄ねじ５７はインナケーブル５４ａに固定され、インナケーブル５４ａはフレーム外壁６１においてつまみ５９に接続し、アウタケーブル５４ｂは支持ブラケット５８とフレーム内壁６０との間に固定される。なお遠隔操作で移動するセンサ４２（ないし図３の１７）の適正位置はランプ表示等で検知することができる。」（段落【0012】〜【0016】。下線は当審にて付与。以下同様。）
　カ　「【発明の効果】以上の如くに、本発明によれば、請求項１においてハウジングがフィーダシュートからコネクタ受け具に自動供給され、さらに水平位置に反転されて水平方向からの端子自動挿入を可能とするから、コネクタ及びワイヤハーネスの効率的な生産が可能となる。また請求項２において各センサによりロータ内や
コネクタ受け具内へのハウジングの収容状態を確実に検知できる
　キ　上記オの記載事項及び図面の図示内容から、
透孔４３は、
同じ大きさ
透孔４３は、その軸方向が収容室底面４５に沿うように収容室３５に開口され、その軸方向において、収容室底面４５と重なる内面部分を有し
　ク　上記オ〜カの記載事項及び図面の図示内容から、一対の透過式光電センサ４２を用いた
ハウジング２のコネクタ受け具８内への収容状態検知装置
　
　上記ア〜カの記載事項、上記キ〜クの認定事項、及び、図面の図示内容を総合勘案すると、刊行物１には、次の発明が記載されていると認められる。
「前端面を有し、全長の異なるハウジング２の種類に応じて段取換えされるコネクタ受け具８であって、
　ハウジング２の前端面が突き当たる収容室底面４５を有する収容室３５と、
　ハウジング２の両側部に設けられ、収容室３５に開口される、同じ大きさの一対の透孔４３と、
　透孔４３から進入した光４４によりハウジング２と収容室底面４５との隙間Ｓの有無を検知する一対の透過式光電センサ４２とを備え、
　コネクタ受け具８の両側には一対の透過式光電センサ４２が配置され、
　ハウジング２の種類に応じて、段取換えしたコネクタ受け具８の収容室底面４５の位置が変化し、
　透孔４３は、その軸方向が収容室底面４５に沿うように収容室３５に開口され、その軸方向において、収容室底面４５と重なる内面部分を有し、
　コネクタ受け具８の一対の透孔４３の位置に対応して透過式光電センサ４２を追従して移動させ、ハウジング２の前端面と収容室底面４５との隙間Ｓが無くなると透過式光電センサ４２がオンすることにより、ハウジング２のセットが確実に行われたか否かを検知する、ハウジング２のコネクタ受け具８内への収容状態検知装置。」
　
（２）同じく、原査定の拒絶理由において提示された、本願の出願前に頒布された刊行物である特開平４−２８６１８０号公報（以下「刊行物２」という。）には、図面と共に次の事項が記載されている。 
　ア　「ローラコンベア２によって搬送されてくるプリント配線基板１が線状光源３とラインイメージセンサ４との間（以下走査線上とする）を通過するときに、プリント配線基板１の貫通孔列１２を透過した線状光源３からの照射光がラインイメージセンサ４に受光される。
　ここで、
線状光源３とラインイメージセンサ４とは
互いに対向する位置に設置されている
　一方、プリント配線基板１が存在しない部分や貫通孔列１２の部分では、線状光源３からの照射光がローラコンベア２のローラ間の間隙や貫通孔列１２の貫通孔を通ってラインイメージセンサ４に受光される。
したがって、ラインイメージセンサ４から認識処理装置５への出力信号は、走査線上におけるプリント配線基板１や貫通孔列１２の有無によって変化する。認識処理装置５は
ラインイメージセンサ４からの出力信号によって
その結果、認識処理装置５は貫通孔列１２の配置を認識し、その配置から符号化された品名や付随情報を認識する。認識処理装置５はこの認識結果を図示せぬ外部装置に出力する。」（段落【0012】〜【0014】）
　イ　「図２は図１のプリント配線基板１の走査位置とラインイメージセンサ４の出力信号との関係を示す図である。図２（ａ）は矢印ａの方向に搬送されるプリント配線基板１上の走査位置を示している。図２（ｂ）は図２（ａ）の走査位置Ａにおけるラインイメージセンサ４の出力信号を示す図であり、図２（ｃ）は図２（ａ）の走査位置Ｂにおけるラインイメージセンサ４の出力信号を示す図であり、図２（ｄ）は図２（ａ）の走査位置Ｃにおけるラインイメージセンサ４の出力信号を示す図であり、図２（ｅ）は図２（ａ）の走査位置Ｄにおけるラインイメージセンサ４の出力信号を示す図である。」（段落【0017】）
　ウ　「走査線上にプリント配線基板１および貫通孔列１２がともに存在する場合［図２（ａ）の走査位置Ｃ，Ｄ］、図２（ｄ），（ｅ）に示すように、一走査信号においてプリント配線基板１の幅に相当するラインイメージセンサ４の出力が暗レベルとなり、そのプリント配線基板１内の貫通孔列１２の貫通孔に相当するラインイメージセンサ４の出力が明レベルとなる。よって、プリント配線基板１内における貫通孔列１２の貫通孔の存在や貫通孔の数、および貫通孔の位置を認識することができる。」（段落【0020】）
　エ　上記ア〜ウの記載事項、及び、図面（特に【図2】(a)、(d)）の図示内容から、
幅狭な光を受光することのできる
プリント配線基板１の行方向の異なる位置にある貫通孔の位置を認識し、貫通孔の行方向と、共通の線状光源３とラインイメージセンサ４の幅方向が一致する貫通孔の位置検知装置
　
　上記ア〜ウの記載事項、上記エの認定事項、及び、図面の図示内容を総合勘案すると、刊行物２には、次の発明が記載されていると認められる。
「共通の線状光源３と幅狭な光を受光することのできるラインイメージセンサ４とを互いに対向する位置に設置し、
　ラインイメージセンサ４からの出力信号によって、プリント配線基板１の行方向の異なる位置にある貫通孔の位置を認識し、貫通孔の行方向と、線状光源３とラインイメージセンサ４の幅方向が一致する貫通孔の位置検知装置。」
　
３　対比
　本件補正発明と刊行物１に記載された発明とを対比する。
　刊行物１に記載された発明の「前端面を有し、全長の異なるハウジング２の種類に応じて段取換えされるコネクタ受け具８」は、その構成及び機能からみて、本件補正発明の「一端に垂直面を有する複数種のコネクタハウジングを種類別に挿入する複数種の受け台」及び「各種類のコネクタハウジングに応じた異なる複数種の受け台」に相当し、以下同様に、
　「ハウジング２の前端面が突き当たる収容室底面４５を有する収容室３５」は、「コネクタハウジングの垂直面を突き当てる垂直な内端面をコネクタハウジング挿入方向の奥端側に有する凹部」に、
　「ハウジング２の両側部に設けられ、収容室３５に開口される、同じ大きさの一対の透孔４３」は、「凹部に続く貫通した孔部」を有すること、及び、「各受け台の各孔部は、同一の大きさで」あることに、
それぞれ相当する。
　そして、刊行物１に記載された発明の「透孔４３から進入した光４４によりハウジング２と収容室底面４５との隙間Ｓの有無を検知する一対の透過式光電センサ４２」と、本件補正発明の「複数種の受け台のなかからコネクタハウジングの種類に応じて選択された一つの受け台の該孔部に向けて幅広なレーザ光を照射する発光器と、該受け台の該孔部を通過した幅狭なレーザ光を受ける受光器」とは、前者において、透孔４３は、ハウジング２の種類に応じて段取換えされるコネクタ受け具８に配置されるものであり、また、「一対の透過式光電センサ４２」は、その一方が光を照射する発光器として機能し、他方が光を受光する受光器として機能するものであるから、両者は、「複数種の受け台のなかからコネクタハウジングの種類に応じて選択された一つの受け台の該孔部に向けて光を照射する発光器と、該受け台の該孔部を通過した光を受ける受光器」である点で共通する。
　また、刊行物１に記載された発明の「コネクタ受け具８の両側には一対の透過式光電センサ４２が配置され」ることは、その構成及び機能からみて、本件補正発明の「受け台は発光器と受光器との間に配置され」ることに相当し、以下同様に、
　「ハウジング２の種類に応じて、段取換えしたコネクタ受け具８の収容室底面４５の位置が変化」することは、「コネクタハウジングの種類に応じて各受け台の凹部の内端面の位置が異な」ることに、
　「透孔４３は、その軸方向が収容室底面４５に沿うように収容室３５に開口され、その軸方向において、収容室底面４５と重なる内面部分を有」することは、「各受け台の各孔部は、同一の大きさで、各受け台の各凹部の該内端面に沿って該内端面と同一平面上の内面を有して設けられ」ることに、
　「ハウジング２のコネクタ受け具８内への収容状態検知装置」は、「供給部品の確認装置」に、
それぞれ相当する。
　さらに、刊行物１に記載された発明の「コネクタ受け具８の一対の透孔４３の位置に対応して透過式光電センサ４２を追従して移動させ、ハウジング２の前端面と収容室底面４５との隙間Ｓが無くなると透過式光電センサ４２がオンすることにより、ハウジング２のセットが確実に行われたか否かを検知する」ことと、本件補正発明の「各孔部は、共通の幅広なレーザ光の幅の範囲内に位置し、該レーザ光の幅方向は前記コネクタハウジング挿入方向に一致し、各孔部の軸線方向は該レーザ光の幅方向に直交して位置し、コネクタハウジングの垂直面が該凹部の該内端面に突き当てられた完全挿入状態で、該レーザ光の幅方向の一部が該孔部を通って該コネクタハウジングに遮光され、該コネクタハウジングの該垂直面が該凹部の該内端面に突き当てられない不完全挿入状態で、該レーザ光の幅方向の一部が該孔部を透過する」こととは、前者において、ハウジング２の種類に応じて変化する一対の透孔４３の位置に、透過式光電センサ４２が追従して移動されることから、一対の透孔４３は、透過式光電センサ４２から照射される光の照射範囲内に位置するといえ、また、「隙間Ｓが無くなる」とき、光はハウジング２の前端部により遮られ、そうでないとき、光の一部は隙間Ｓを通過し、受光器側の透孔４３を透過するものであるから、両者は、「各孔部は、光の照射範囲内に位置し、コネクタハウジングの垂直面が凹部の内端面に突き当てられた完全挿入状態で、光の一部が孔部を通ってコネクタハウジングに遮光され、コネクタハウジングの垂直面が凹部の内端面に突き当てられない不完全挿入状態で、光の一部が該孔部を透過する」ことで共通する。
　
　したがって、両者の一致点および相違点は、次のとおりである。
［一致点］
「一端に垂直面を有する複数種のコネクタハウジングを種類別に挿入する複数種の受け台であって、コネクタハウジングの該垂直面を突き当てる垂直な内端面をコネクタハウジング挿入方向の奥端側に有する凹部と、該凹部に続く貫通した孔部とを有して、各種類のコネクタハウジングに応じた異なる複数種の受け台と、該複数種の受け台のなかからコネクタハウジングの種類に応じて選択された一つの受け台の該孔部に向けて光を照射する発光器と、該受け台の該孔部を通過した光を受ける受光器とを備え、該受け台は該発光器と該受光器との間に配置され、コネクタハウジングの種類に応じて各受け台の前記凹部の前記内端面の位置が異なり、各受け台の各孔部は、同一の大きさで、各受け台の各凹部の該内端面に沿って該内端面と同一平面上の内面を有して設けられ、且つ各孔部は、光の照射範囲内に位置し、コネクタハウジングの前記垂直面が該凹部の該内端面に突き当てられた完全挿入状態で、該光の一部が該孔部を通って該コネクタハウジングに遮光され、該コネクタハウジングの該垂直面が該凹部の該内端面に突き当てられない不完全挿入状態で、該光の一部が該孔部を透過する供給部品の確認装置。」
　
［相違点１］
　本件補正発明では、発光器が幅広なレーザ光を照射し、受光器が幅狭なレーザ光を受けるのに対して、刊行物１に記載された発明では、一対の透過式光電センサ４２を具備するが、本件補正発明の該発明特定事項を具備しない点。
　
［相違点２］
　コネクタハウジングの受け台の凹部への挿入状態の検知が、本件補正発明では、各孔部は、共通の幅広なレーザ光の幅の範囲内に位置し、レーザ光の幅方向はコネクタハウジング挿入方向に一致し、各孔部の軸線方向はレーザ光の幅方向に直交して位置し、コネクタハウジングの垂直面が凹部の内端面に突き当てられた完全挿入状態で、レーザ光の幅方向の一部が孔部を通ってコネクタハウジングに遮光され、コネクタハウジングの該垂直面が該凹部の該内端面に突き当てられない不完全挿入状態で、該レーザ光の幅方向の一部が該孔部を透過することにより行われるのに対して、刊行物１に記載された発明では、コネクタ受け具８の一対の透孔４３の位置に対応して透過式光電センサ４２を追従して移動させ、ハウジング２の前端面と収容室底面４５との隙間Ｓが無くなると透過式光電センサ４２がオンすることにより、ハウジング２のセットが確実に行われた否かを検知する点。
　
４　当審の判断
（１）上記相違点１〜２について
　光を用いる検出装置の技術分野において、光源としてレーザ光を用いることは、本願出願前に普通に用いられている技術事項である。
　そして、刊行物１に記載された発明において、コネクタ受け具８は、「全長の異なるハウジング２の種類に応じて段取換えされる」ものであって、刊行物１に記載された発明は、段取換えに伴い変化する透孔４３の位置に対応させて、透過式光電センサ４２を追従して移動させるものである。このように、刊行物１に記載された発明は、ハウジング２の種類に応じて、透過式光電センサ４２を移動させる作業を伴うものであり、効率的な生産を行ううえでの妨げとなる作業を含むものといえる。
　一方、刊行物２に記載された発明は、行方向の異なる位置にある貫通孔の位置を共通の線状光源３を用いて検知するものであるから、行方向の異なる位置にある貫通孔のそれぞれに対応して、光源を移動させる作業を必要とするものではない。したがって、刊行物２に記載された発明は、光源を移動させる作業を伴わないという限りにおいて、効率的な生産を行うという課題を解決するものである。
　してみると、刊行物１に記載された発明において、透過式光電センサ４２の光源としてレーザ光を用いること、かつ、効率的な生産を行うために、刊行物２に記載された発明に倣って、発光器として、幅広な線状光源を用いると共に、受光器として幅狭な光を受けることのできるラインイメージセンサ４を用い、さらに、ハウジング２の種類に応じて変化する孔部４３を線状光源３の幅の範囲内に位置させ、線状光源３の幅方向を孔部４３の位置の変化方向に一致させ、その結果として、孔部４３の軸線方向が線状光源３の幅方向に直交して位置させ、線状光源３から照射される光の幅方向の一部をラインイメージセンサ４により受光させることは、当業者が容易になし得たものである。
　
（２）小括
　本件補正発明により奏される効果は、刊行物１〜２に記載された発明及び周知の技術事項から当業者が予測できた効果の範囲内のものである。
　したがって、本件補正発明は、刊行物１〜２に記載された発明及び周知の技術事項に基づいて当業者が容易に想到し得たものである。
　ゆえに、本件補正発明は、刊行物１〜２に記載された発明及び周知の技術事項に基いて当業者が容易に発明をすることができたものであるから、特許法第２９条第２項の規定により、特許出願の際独立して特許を受けることができないものである。
　
５　まとめ
　以上のとおりであるから、本件補正は、改正前特許法第１７条の２第５項において準用する同法第１２６条第５項の規定に違反するので、同法第１５９条第１項において読み替えて準用する同法第５３条第１項の規定により却下すべきものである。
 　  
第３　本願発明について
１　本願発明
　平成２３年６月２８日付け手続補正は上記のとおり却下されたので、本願の請求項１に係る発明（以下「本願発明」という。）は、平成２２年１１月１０日付け手続補正書の特許請求の範囲の請求項１に記載された事項により特定される次のとおりのものである。
「一端に垂直面を有する複数種のコネクタハウジングを種類別に挿入する複数種の受け台であって、コネクタハウジングの該垂直面を突き当てる垂直な内端面を奥端側に有する凹部と、該凹部に続く貫通した孔部とを有して、各種類のコネクタハウジングに応じた異なる複数種の受け台と、該複数種の受け台のなかからコネクタハウジングの種類に応じて選択された一つの受け台の該孔部に向けて幅広なレーザ光を照射する発光器と、該受け台の該孔部を通過した幅狭なレーザ光を受ける受光器とを備え、該受け台は該発光器と該受光器との間に配置され、コネクタハウジングの種類に応じて各受け台の前記凹部の前記内端面の位置が異なり、各受け台の各孔部は、同一の大きさで、各受け台の各凹部の該内端面に沿って設けられ、前記幅広なレーザ光の幅の範囲内に位置することを特徴とする供給部品の確認装置。」
　
２　刊行物に記載された発明
　原査定の拒絶の理由に引用した刊行物１〜２、刊行物１〜２の記載事項及び刊行物１〜２に記載された発明は、前記「第２［理由］２　刊行物に記載された発明」に記載したとおりである。
　
３　対比および判断
　本願発明は、前記「第２［理由］」において検討した本件補正発明において、コネクタハウジングの垂直面を突き当てる垂直な内端面の位置について、「
コネクタハウジング挿入方向の
該内端面と同一平面上の内面を有して設けられ、且つ各孔部は、共通の
し、該レーザ光の幅方向は前記コネクタハウジング挿入方向に一致し、各孔部の軸線方向は該レーザ光の幅方向に直交して位置
コネクタハウジングの前記垂直面が該凹部の該内端面に突き当てられた完全挿入状態で、該レーザ光の幅方向の一部が該孔部を通って該コネクタハウジングに遮光され、該コネクタハウジングの該垂直面が該凹部の該内端面に突き当てられない不完全挿入状態で、該レーザ光の幅方向の一部が該孔部を透過する
　そうすると、実質的に本願発明の発明特定事項をすべて含み、さらに、他の発明特定事項を付加したものに相当する本件補正発明が、前記「第２　［理由］３　対比、及び、４　当審の判断」に記載したとおり、刊行物１〜２に記載された発明及び周知の技術事項に基いて当業者が容易に発明をすることができたものであるから、本願発明も同様に、刊行物１〜２に記載された発明及び周知の技術事項に基いて当業者が容易に発明をすることができたものである。
 　  
４　むすび  
　以上のとおりであるから、本願発明は、刊行物１〜２に記載された発明及び周知の技術事項に基いて当業者が容易に発明をすることができたものであり、特許法第２９条第２項の規定により特許を受けることができない。  
　したがって、本願のその他の請求項に係る発明について検討するまでもなく、本願は拒絶すべきものである。
　
　よって、結論のとおり審決する。